(57)【要約】【課題】重量の増大や製造コストの上昇を抑制しながらも、強度を高くし、歪みなどを生じ難くすることが可能な浴室暖房装置の枠状カバーを提供する。【解決手段】浴室天井８の浴室暖房装置Ａを設置するための天井開口部８０の周縁部付近の下面を覆うように配され、かつ浴室暖房装置本体部１の下面側を開放可能とする中央開口部３３が設けられている枠状カバー本体部３０を備えている、浴室暖房装置の枠状カバー３であって、枠状カバー本体部３０の内周部３０ａと外周部３０ｂとの中間領域Ｓの上面部に突設され、かつ中間領域Ｓの長手方向に延びる中間領域補強リブ５を、さらに備えている。【選択図】  図１
2019116984.tif 000002
【特許請求の範囲】
【請求項１】
浴室天井の浴室暖房装置を設置するための天井開口部の周縁部付近の下面を覆うように配され、かつ前記浴室暖房装置の浴室暖房装置本体部の下面側を開放可能とする中央開口部が設けられている枠状カバー本体部を備えている、浴室暖房装置の枠状カバーであって、
前記枠状カバー本体部の内周部と外周部との中間領域の上面部に突設され、かつ前記中間領域の長手方向に延びる中間領域補強リブを、さらに備えていることを特徴とする、浴室暖房装置の枠状カバー。
【請求項２】
請求項１に記載の浴室暖房装置の枠状カバーであって、
前記枠状カバー本体部の内周部および外周部の少なくとも一方に設けられ、かつ前記枠状カバー本体部の上面側において発生した結露水を前記枠状カバー本体部の下方に排水するための水抜き孔を、さらに備えており、
前記中間領域補強リブは、複数の中間領域補強リブが結露水を通過可能な隙間を介して前記長手方向に断続的な列状に並んだ補強リブ列を構成するように設けられている、浴室暖房装置の枠状カバー。
【請求項３】
請求項２に記載の浴室暖房装置の枠状カバーであって、
前記補強リブ列として、前記長手方向とは交差する方向に間隔を隔てて並んだ複数の補強リブ列が設けられており、
これら複数の補強リブ列どうしは、前記隙間の配置が前記長手方向において位置ずれした互い違い状とされている、浴室暖房装置の枠状カバー。
【請求項４】
請求項１ないし３のいずれかに記載の浴室暖房装置の枠状カバーであって、
前記枠状カバー本体部の外周部に繋がり、かつこの外周部が延びる方向とは交差する方向に延びる外周部補強リブを、さらに備えている、浴室暖房装置の枠状カバー。
【請求項５】
請求項１ないし４のいずれかに記載の浴室暖房装置の枠状カバーであって、
前記枠状カバー本体部の内周部に繋がり、かつこの内周部が延びる方向とは交差する方向に延びる内周部補強リブを、さらに備えている、浴室暖房装置の枠状カバー。
【請求項６】
請求項１ないし５のいずれかに記載の浴室暖房装置の枠状カバーであって、
前記枠状カバー本体部の上面部に設けられた上向き突出状の部位として、
前記枠状カバー本体部を支持するためのアダプタを締結部材を用いて締結可能とするボス部と、
前記アダプタが前記締結部材を用いて前記ボス部に締結可能な位置に設定されたときに、前記アダプタの水平方向への移動が規制されるように、前記アダプタの複数の角部または側面部を囲む配置とされた複数の位置決め用リブと、
をさらに備えている、浴室暖房装置の枠状カバー。
【請求項７】
請求項１ないし６のいずれかに記載の浴室暖房装置の枠状カバーを備えていることを特徴とする、浴室暖房装置。
【発明の詳細な説明】
【技術分野】
【０００１】
本発明は、浴室の天井部に設置される浴室暖房装置の構成要素としての枠状カバー、およびこれを備えた浴室暖房装置に関する。
【背景技術】
【０００２】
浴室暖房装置の一例として、特許文献１に記載のものがある。
同文献に記載の浴室暖房装置は、浴室が設置された建屋の天井壁に固定されている吊りボルトに取付けられる略矩形枠状のアダプタ、このアダプタの内側に一部が嵌入された状態で取付けられる浴室暖房装置本体部、および化粧パネルとしての枠状カバー、および下面パネルを備えている。浴室天井には、浴室暖房装置本体部を取付けるための天井開口部が設けられている。枠状カバーは、この天井開口部の周縁部付近の下面に接触し、天井開口部の周縁部と浴室暖房装置本体部との間に形成された隙間を覆い隠すように設定される。したがって、それらの部分が浴室内下方側から不体裁な状態に見えないようにすることができる。前記枠状カバーの中央開口部には、下面パネルが嵌入装着されるが、この下面パネルには、吸気口およびエア吹き出し口が設けられている。
【０００３】
しかしながら、前記従来技術においては、次に述べるように、改善すべき余地があった。
【０００４】
すなわち、枠状カバーは、軽量化やコスト低減などの観点から薄手の樹脂製とされるのが一般的である。このため、枠状カバーの強度は低く、歪み（反り変形）などを生じ易い。とくに、浴室暖房装置のサイズが大きくされる場合には、これに伴って枠状カバーのサイズも大きくする必要があるため、このような場合には、枠状カバーの強度がより不足気味となり、歪みなどを生じ易くなる。このような歪みを生じたのでは、枠状カバーの外周部と浴室天井の下面との間に隙間が生じるなどの不具合を生じる。
これを解消する手段としては、枠状カバーの全体の厚みを大きくすることが考えられるが、これでは重量の増大、製造コストの上昇を招いてしまう。
【先行技術文献】
【特許文献】
【０００５】
【特許文献１】特許第５３８６２８０号公報
【発明の概要】
【発明が解決しようとする課題】
【０００６】
本発明は、前記したような事情のもとで考え出されたものであり、重量の増大や製造コストの上昇を抑制しながらも、強度を高くし、歪みなどを生じ難くすることが可能な浴室暖房装置の枠状カバー、およびこれを備えた浴室暖房装置を提供することを、その課題としている。
【課題を解決するための手段】
【０００７】
上記の課題を解決するため、本発明では、次の技術的手段を講じている。
【０００８】
本発明の第１の側面により提供される浴室暖房装置の枠状カバーは、浴室天井の浴室暖房装置を設置するための天井開口部の周縁部付近の下面を覆うように配され、かつ前記浴室暖房装置の浴室暖房装置本体部の下面側を開放可能とする中央開口部が設けられている枠状カバー本体部を備えている、浴室暖房装置の枠状カバーであって、前記枠状カバー本体部の内周部と外周部との中間領域の上面部に突設され、かつ前記中間領域の長手方向に
延びる中間領域補強リブを、さらに備えていることを特徴としている。
ここで、「枠状カバー本体部の外周部と内周部との中間領域」とは、枠状カバー本体部の外周部と内周部との間の領域と同義であり、外周部と内周部との間の中央部を意味するものではない。
【０００９】
このような構成によれば、次のような効果が得られる。
すなわち、枠状カバーは、本来的には、内周部と外周部との中間領域が最も反りなどの歪みを生じ易く、かつその歪みは、前記中間領域の長手方向に沿ってとくに生じ易い。これに対し、中間領域補強リブは、そのような中間領域を効率良く補強する。その結果、中間領域補強リブのボリュームをさほど大きくすることなく、枠状カバーを歪みが生じ難いものとすることができる。このようなことから、枠状カバーの全体の薄肉化を図り、全体の軽量化、ならびに製造コストの低減化を図りつつ、枠状カバーに歪みなどが発生することを適切に防止または抑制することが可能である。
なお、中間領域補強リブは、枠状カバー本体部の上面側に設けられているため、この中間領域補強リブが浴室内の下方側から見えることはなく、枠状カバーの外観体裁をよくすることができる。
【００１０】
本発明において、好ましくは、前記枠状カバー本体部の内周部および外周部の少なくとも一方に設けられ、かつ前記枠状カバー本体部の上面側において発生した結露水を前記枠状カバー本体部の下方に排水するための水抜き孔を、さらに備えており、前記中間領域補強リブは、複数の中間領域補強リブが結露水を通過可能な隙間を介して前記長手方向に断続的な列状に並んだ補強リブ列を構成するように設けられている。
【００１１】
このような構成によれば、枠状カバーの上面側において発生した結露水を、水抜き孔から枠状カバーの下方に排水することが可能であるが、前記結露水が水抜き孔に到達する前に、中間領域補強リブに塞き止められることが解消される。すなわち、結露水が中間領域補強リブの位置に到達した際、この結露水は中間領域補強リブの相互間の隙間を通過して水抜き孔に流れるようにすることが可能である。したがって、中間領域補強リブを設けることに起因して、結露水の排水性に不具合を生じないようにすることができる。また、中間領域補強リブが断続的に設けられていれば、枠状カバー本体部を樹脂成形する際に、中間領域補強リブを設けたことに起因する枠状カバー本体部の反り変形を生じ難くする効果も得られる。
【００１２】
本発明において、好ましくは、前記補強リブ列として、前記長手方向とは交差する方向に間隔を隔てて並んだ複数の補強リブ列が設けられており、これら複数の補強リブ列どうしは、前記隙間の配置が前記長手方向において位置ずれした互い違い状とされている。
【００１３】
このような構成によれば、枠状カバーの上面側において発生した結露水が、複数の補強リブ列の隙間を順次通過して水抜き孔に向けて流れることを可能としつつ、複数の補強リブ列による枠状カバーの補強効果を高めることができる。前記構成とは異なり、複数の補強リブ列のそれぞれの隙間が互い違い状に設けられていない場合には、複数の隙間が互いに接近した箇所が発生し、この箇所が他の箇所と比較して強度が低くなるといった虞があるが、前記構成によれば、そのような虞を回避することも可能である。
【００１４】
本発明において、好ましくは、前記枠状カバー本体部の外周部に繋がり、かつこの外周部が延びる方向とは交差する方向に延びる外周部補強リブを、さらに備えている。
【００１５】
このような構成によれば、枠状カバー本体部の外周部およびその近辺の強度を、効率よく高めることができる。したがって、枠状カバーの軽量化や製造コストの低減化などを図りつつ、枠状カバーの不当な歪みなどを防止する上で、より好ましいものとなる。
【００１６】
本発明において、好ましくは、前記枠状カバー本体部の内周部に繋がり、かつこの内周部が延びる方向とは交差する方向に延びる内周部補強リブを、さらに備えている。
【００１７】
このような構成によれば、枠状カバー本体部の内周部およびその近辺の強度を、効率よく高めることができ、枠状カバーの軽量化や製造コストの低減化などを図りつつ、枠状カバーの歪みなどを防止する上で、一層好ましいものとなる。
【００１８】
本発明において、好ましくは、前記枠状カバー本体部の上面部に設けられた上向き突出状の部位として、前記枠状カバー本体部を支持するためのアダプタを、締結部材を用いて締結可能とするボス部と、前記アダプタが前記締結部材を用いて前記ボス部に締結可能な位置に設定されたときに、前記アダプタの水平方向への移動が規制されるように、前記アダプタの複数の角部または側面部を囲む配置とされた複数の位置決め用リブと、をさらに備えている。
【００１９】
このような構成によれば、枠状カバー本体部にアダプタを取付ける場合には、枠状カバーの複数の位置決め用リブによってアダプタの複数の角部または側面部が囲まれるように、アダプタを枠状カバー本体部上に載置した上で、締結部材を用いてアダプタを枠状カバーのボス部に締結すればよい。したがって、枠状カバーにアダプタを取付ける作業を容易かつ適切に行なうことができる。なお、前記締結部材は、浴室暖房装置の設置状態において、浴室内の下方側から見えることはなく、浴室暖房装置の体裁をよくすることが可能である。
【００２０】
本発明の第２の側面により提供される浴室暖房装置は、本発明の第１の側面により提供される浴室暖房装置の枠状カバーを備えていることを特徴としている。
【００２１】
このような構成によれば、本発明の第１の側面により提供される浴室暖房装置の枠状カバーについて述べたのと同様な効果が得られる。
【００２２】
本発明のその他の特徴および利点は、添付図面を参照して以下に行なう発明の実施の形態の説明から、より明らかになるであろう。
【図面の簡単な説明】
【００２３】
【図１】本発明に係る浴室暖房装置の構成の一例を示す要部概略断面図である。
【図２】図１に示す浴室暖房装置の要部分解概略断面図である。
【図３】（ａ）は、図１および図２に示す浴室暖房装置の枠状カバーの平面図であり、（ｂ）は、（ａ）のIIIb−IIIb要部断面図であり、（ｃ）は、（ａ）のIIIc−IIIc要部断面図であり、（ｄ）は、（ａ）のIIId−IIId要部断面図である。
【図４】図3に示す枠状カバーおよびこれに取付けられるアダプタの概略斜視図である。
【図５】図４に示す枠状カバーにアダプタを取付けた状態を示す概略斜視図である。
【発明を実施するための形態】
【００２４】
以下、本発明の好ましい実施の形態について、図面を参照して具体的に説明する。
【００２５】
図１に示す浴室暖房装置Ａは、浴室天井８よりも上方の建屋の天井９に固定された複数の吊りボルト９０を利用して、浴室の天井部に取付けられている。浴室天井８には、浴室暖房装置Ａの取付け用の天井開口部８０が設けられている。浴室暖房装置Ａは、浴室暖房装置本体部１、アダプタ２、枠状カバー３、ならびに下面パネル４を備えている。
【００２６】
下面パネル４は、浴室暖房装置本体部１用の吸気口４０およびエア吹き出し口４１が形成されている樹脂製パネルであり、浴室暖房装置本体部１の下面部に、たとえばビス止め手段（図示略）、あるいは係合用の凸部や凹部を利用した係合手段を用いて取付けられている。
【００２７】
浴室暖房装置本体部１は、その基本的な構成が、従来既知の浴室暖房装置本体部と同様なものである。詳細な図示説明は省略するが、この浴室暖房装置本体部１は、ファンおよびエア加熱手段を備えており、ファンの駆動により下面パネル４の吸気口４０から浴室の空気を内部に取り込み、かつこの空気をエア加熱手段によって加熱してからエア吹き出し口４１から浴室に向けて吹き出すことが可能である。この浴室暖房装置本体部１は、その外面部に突設されたブラケット片１０の孔部に吊りボルト９０が挿通し、かつナット９１ｃによって落下が阻止された状態で吊りボルト９０に固定されている。
【００２８】
図４および図５によく表われているように、アダプタ２は、金属製であり、略矩形枠状のプレート部２０、このプレート部２０の中央開口部２１の四隅部分から上方に起立した複数の起立部２２、この起立部２２の上壁部に設けられたボルト挿通用孔２３、およびプレート部２０に設けられたビス止め用の複数の孔部２４を備えている。プレート部２０は、その外周部のサイズが天井開口部８０よりも大きく、かつ中央開口部２１は、浴室暖房装置本体部１を通過させることが可能に浴室暖房装置本体部１よりも大きいサイズである。さらに図１および図２に示すように、アダプタ２は、ボルト挿通用孔２３に吊りボルト９０が挿通し、かつナット９１ａ，９１ｂが締め付けられていることにより、吊りボルト９０に固定されている。
【００２９】
枠状カバー３は、樹脂製であり、図３によく表われているように、中央開口部３３を有する略矩形枠状の枠状カバー本体部３０、その内周部３０ａに設けられた少なくとも左右一対の水抜き孔３２、枠状カバー本体部３０の上面部に設けられたビス止め用の複数のボス部３１、複数の中間領域補強リブ５が列状に並んだ複数の補強リブ列Ｒ、内周部補強リブ６ａ、外周部補強リブ６ｂ、およびアダプタ２を取付ける際の位置決めを図るための位置決め用リブ７を具備している（図４も参照）。
【００３０】
枠状カバー本体部３０は、平面視略矩形の内周部３０ａおよび外周部３０ｂを有しており、かつこれら内周部３０ａおよび外周部３０ｂの上面部には、図３（ｂ）〜（ｄ）に表われているように、上向き凸状壁部３３ａ，３３ｂが設けられている。枠状カバー本体部３０は、外周部３０ｂから内周部３０ａに進むにしたがって上面部および下面部のそれぞれの高さが漸次低くなるように傾斜している。図３（ａ），（ｃ）に示すように、水抜き孔３２は、高さが低い側の内周部３０ａに設けられているため、枠状カバー本体部３０の上面部上において発生した結露水は、水抜き孔３２に向けて流れさせることが可能である。水抜き孔３２の一端は、中央開口部３３に開口している。このため、枠状カバー本体部３０の上面部の各所から水抜き孔３２に到達した結露水は、この水抜き孔３２を通過すると、枠状カバー３の下方に流れ落ちる。
【００３１】
各補強リブ列Ｒは、複数の中間領域補強リブ５が隙間５０を介して断続的な直線状に並んだ部位である。隙間５０の幅寸法Ｌａは、枠状カバー本体部３０の上面部上に結露水が発生した際に、この結露水が隙間５０を円滑に通過可能な幅である。
複数の中間領域補強リブ５のそれぞれは、枠状カバー本体部３０の外周部３０ｂと内周部３０ａとの中間領域Ｓ（外周部３０ｂと内周部３０ａとの間の領域）に位置して中間領域Ｓの長手方向に延びる上向き凸状のリブである。枠状カバー本体部３０は、平面視略矩形枠状であるため、中間領域Ｓとしては、図３（ａ）において、中央開口部３３の左右に位置する第１および第２の中間領域Ｓ（Ｓａ，Ｓｂ）、ならびに中央開口部３３の上下に位置する第３および第４の中間領域Ｓ（Ｓｃ，Ｓｄ）がある。第１および第２の中間領域
Ｓａ，Ｓｂの長手方向は、図３（ａ）の上下方向であり、第３および第４の中間領域Ｓｃ，Ｓｄの長手方向は、同図の左右方向である。
【００３２】
前記した複数の中間領域Ｓ（Ｓａ〜Ｓｄ）のそれぞれにおいては、複数（図面では２列）の補強リブ列Ｒが、それらの短手方向に間隔を隔てて略平行な配置に設けられている。ただし、これら略平行な配置に設けられた複数の補強リブ列Ｒどうしは、隙間５０の配置が長手方向に位置ずれした互い違い状とされている。
【００３３】
好ましくは、内周部３０ａに接近して設けられた補強リブ列Ｒは、水抜き孔３２に接近する箇所に、中間領域補強リブ５が存在し、隙間５０が存在しないように設けられている。本来的には、水抜き孔３２の形成箇所およびその近傍領域は、他の領域と比較して強度が低くなる虞があるが、前記構成によれば、そのような領域を中間領域補強リブ５によって効果的に補強することが可能である。
【００３４】
さらに好ましくは、図３（ｂ）において、各中間領域補強リブ５の厚みｔｂは、枠状カバー本体部３０の厚みｔａとの関係において、ｔｂ＜ｔａとされている。このような構成によれば、枠状カバー３の樹脂成形時において、中間領域補強リブ５の方が枠状カバー本体部３０よりも先に固化し、枠状カバー本体部３０に反りを生じ難くする効果が得られる。また、中間領域補強リブ５は、断続的に設けられているが、後述するように、このことによっても枠状カバー本体部３０に反り変形を生じ難くする効果が得られる。
【００３５】
また、好ましくは、複数の中間領域補強リブ５の高さＨは、各中間領域補強リブ５の上端と外周部３０ｂの上端の高さが同寸法となるように設けられている。これは、枠状カバー３の樹脂成形時に、複数の中間領域補強リブ５のそれぞれへの樹脂流れの均一化を図る上で、好ましい。
【００３６】
複数の外周部補強リブ６ｂは、枠状カバー本体部３０の上面部と、外周側の上向き凸状壁部３３ｂとを繋ぎ、かつ外周部３０ｂが延びる方向とは交差する方向に延びた状態に設けられた側面視略三角形状のリブである。これら複数の外周部補強リブ６ｂは、枠状カバー本体部３０の外周部３０ｂの全周域に沿って適当な間隔で断続的に設けられている。
【００３７】
複数の内周部補強リブ６ａは、枠状カバー本体部３０の上面部と、内周側の上向き凸状壁部３３ａとを繋ぎ、かつ内周部３０ａが延びる方向とは交差する方向に延びた状態に設けられた側面視略三角形状のリブである。これら複数の内周部補強リブ６ａは、枠状カバー本体部３０の内周部３０ａの全周域に沿って適当な間隔で断続的に設けられている。なお、上向き凸状壁部３３ａ上には、後述するように、アダプタ２が載せられるが、この上向き凸状壁部３３ａを補強するための補強リブ３９（図３の（ｂ）〜（ｄ）のみに図示している）をさらに設けた構成とすることもできる。
【００３８】
複数の位置決め用リブ７は、枠状カバー３にアダプタ２を取付ける場合において、図３（ｄ）および図５に示すように、アダプタ２のプレート部２０が、内周側の上向き凸状壁部３３ａ上に載置された際に、プレート部２０の周囲を囲むことにより、プレート部２０のネジ挿通用の孔部２４がボス部３１の上に位置するようにプレート部２０の位置決めを図るための部分である。これら複数の位置決め用リブ７は、プレート部２０の四隅部分を内側に配置させるための平面視略Ｌ字状の位置決め用リブ７（７ａ）、およびプレート部２０の外周縁の中間部分を内側に配置に配置させるための位置決め用リブ７（７ｂ）を有している。図３（ａ），（ｄ）に示すように、それらの位置決め用リブ７には、この位置決め用リブ７と外周側の上向き凸状壁部３３ｂとを繋ぐ外周部補強リブ６ｂが連設されている。位置決め用リブ７は、枠状カバー３を補強する役割も果たす。
【００３９】
複数のボス部３１は、たとえば枠状カバー本体部３０の上面部に突設された略円筒状の形態とされ、ビス２９（本発明でいう締結部材の一例）をねじ込むための孔部が設けられている。図４および図５に示すように、アダプタ２のプレート部２０は、孔部２４に挿通されたビス２９がボス部３１の孔部にねじ込まれていることにより、枠状カバー３に取付けられている。
【００４０】
図１および図２に示すように、枠状カバー３は、アダプタ２との取付けが図られた状態で、外周側の上向き凸状壁部３３ｂが浴室天井８の天井開口部８０の近傍の下面に当接するように設定されている。下面パネル４は、既述したように、浴室暖房装置本体部１の下面部に取付けられるが、この取付けに際しては、枠状カバー３の中央開口部３３に嵌入した状態とされる。
なお、浴室暖房装置Ａを設置する場合には、図２に示すように、枠状カバー３の組み付けが図られたアダプタ２を、吊りボルト９０に取付けた後に、浴室暖房装置本体部１、および下面パネル４の取付けが図られる。このような作業手順によれば、浴室天井８の付近の高所においてアダプタ２を単独で取付ける作業が不要となり、浴室暖房装置Ａの取付け作業性をよくすることが可能である。
【００４１】
次に、前記した枠状カバー３を備えた浴室暖房装置Ａの作用について説明する。
【００４２】
まず、枠状カバー３には、既述したように、複数の中間領域補強リブ５が中間領域Ｓ（Ｓａ〜Ｓｄ）の長手方向に延びた状態で設けられている。これに対し、枠状カバー３は、本来的には、中間領域Ｓの長手方向に反りなどを生じ易い。したがって、複数の中間領域補強リブ５は、そのような反りを効果的に防止すべく枠状カバー３を補強することとなる。また、本実施形態とは異なり、複数の中間領域補強リブ５をかなり長い寸法で一連に延びた直線状に形成した場合には、枠状カバー３を樹脂成形する際に、中間領域補強リブ５の存在に起因して中間領域Ｓに反り変形を生じる虞があるが、本実施形態においては、複数の中間領域補強リブ５が隙間５０を介して断続的に設けられているため、樹脂成形時における前記した虞も解消することが可能である。
【００４３】
また、互いに略平行に設けられた複数の補強リブ列Ｒどうしは、隙間５０が位置ずれした状態とされているが、このような構成によれば、複数の隙間５０が互いに接近して強度が局所的に弱くなる箇所ができる限り発生しないようにし、各所の強度の均一化を図ることが可能である。
【００４４】
このようなことから、本実施形態によれば、枠状カバー３の全体の薄肉化、軽量化を図り、製造コストの低減化を図りながらも、枠状カバー３の強度を高め、反りなどの変形・歪みを生じ難いものとすることが可能である。また、外周部補強リブ６ｂ、内周部補強リブ６ａ、および位置決め用リブ７なども、枠状カバー３の各部を効率よく補強する。したがって、枠状カバー３の歪みなどを防止する上で、一層好ましいものとなる。前記した補強リブ５，６ａ，６ｂ，７は、いずれも枠状カバー本体部３０の上面部に設けられているため、浴室暖房装置Ａの設置状態において、これらの補強リブ５，６ａ，６ｂ，７が、浴室の下方側から不体裁に見えることもない。
【００４５】
一方、枠状カバー３の上面部において結露水が発生した場合には、この結露水を水抜き孔３２から枠状カバー３の下方に流れ落とすことができ、枠状カバー３の上側を衛生的な状態とすることが可能である。複数の中間領域補強リブ５は、隙間５０を介して断続的に並んでいるため、これら複数の中間領域補強リブ５が、水抜き孔３２に向けて結露水が流れることを阻害し、その排水が困難化する原因にならないようにすることも可能である。
【００４６】
枠状カバー３は、図５などを参照して説明したように、アダプタ２に取付けられて使用
されるが、枠状カバー３には、位置決め用リブ７が設けられており、アダプタ２のプレート部２０と枠状カバー３との位置合わせを容易かつ適切に行なうことが可能である。したがって、アダプタ２と枠状カバー３との組み付け作業性を良好なものにすることもできる。なお、アダプタ２のプレート部２０を枠状カバー３上に載せた際に、その位置が不適切である場合には、プレート部２０の一部が位置決め用リブ７上に載り上がった状態となるため、このような不適切な状態でプレート部２０が枠状カバー３にビス止めされる虞（過誤装着）をなくす効果も得られる。
【００４７】
本発明は、上述した実施形態の内容に限定されない。本発明に係る浴室暖房装置の枠状カバー、およびこれを備えた浴室暖房装置の各部の具体的な構成は、本発明の意図する範囲内において種々に設計変更自在である。
【００４８】
中間領域補強リブは、隙間を介して断続的に設けることが好ましいものの、これに代えて、比較的長い寸法で一連に延びた形態に設けた構成としてもよい。中間領域補強リブの具体的な形状、サイズ、数などは限定されない。要は、中間領域補強リブは、枠状カバー本体部の中間領域の上面部に、この中間領域の長手方向に延びた形態に設けられていればよい。
上述の実施形態では、第１ないし第４の中間領域Ｓａ〜Ｓｄのそれぞれに中間領域補強リブ５が設けられているが、これに限定されない。上述の実施形態では、第１および第２の中間領域Ｓａ，Ｓｂよりも、第３および第４の中間領域Ｓｃ，Ｓｄの方が長手方向のサイズが長く、反り変形を生じ易い。したがって、第１および第２の中間領域Ｓａ，Ｓｂには、中間領域補強リブ５を設けることなく、第３および第４の中間領域Ｓｃ，Ｓｄのみに中間領域補強リブ５を設けた構成とすることもできる。
【００４９】
本発明に係る浴室暖房装置の枠状カバーは、必ずしも上述した実施形態のアダプタ２と組合されて用いられる必要はなく、アダプタ２とは異なる形態のアダプタ（支持部材）に支持させるなどして浴室天井またはその近辺に取付けた構成とすることも可能である。枠状カバーは、略矩形の枠状とは異なった形態の枠状とすることも可能である。
その他、本発明においては、浴室暖房装置の浴室天井またはその周辺部への具体的な取付け方法なども限定されない。
余り現実的ではないが、水抜き孔は、枠状カバー本体部の内周部に代えて、または加えて、枠状カバー本体部の外周部に設けた構成とすることもできる。
【符号の説明】
【００５０】
Ａ  浴室暖房装置
Ｒ  補強リブ列
Ｓ（Ｓａ〜Ｓｄ）  中間領域（枠状カバー本体部の）
１  浴室暖房装置本体部
２  アダプタ
２９  ビス（締結部材）
３  枠状カバー
３０  枠状カバー本体部
３０ａ  内周部（枠状カバー本体部の）
３０ｂ  外周部（枠状カバー本体部の）
３２  水抜き孔
３３  中央開口部（枠状カバーの）
４  下面パネル
５  中間領域補強リブ
６ａ  内周部補強リブ
６ｂ  外周部補強リブ
７  位置決め用リブ
８  浴室天井
８０  天井開口部
９０  吊りボルト
【図１】
2019116984.tif 000003
【図２】
2019116984.tif 000004
【図３】
2019116984.tif 000005
【図４】
2019116984.tif 000006
【図５】
2019116984.tif 000007